(57)【要約】      （修正有）【課題】宝くじを分離された断片に高速に剪断させ、廃棄作業を完成させる宝くじ廃棄装置を提供する。【解決手段】宝くじ廃棄装置は、主にケースと、駆動歯車セットと、２組のガイドローラーと、１組のカットローラーとで構成される。ガイドローラー及びカットローラーは２つずつ対応し合って互いに反対方向に回転する。ケースは駆動モーターを含み、駆動モーターにより２組のガイドローラー及びカットローラーが起動され、宝くじが第１組ガイドローラー３１、３２を通過して自動的に平坦に整理されると共に、宝くじの数量が検知される。第２組ガイドローラー４１、４２を通過する際に宝くじが下方のカットローラー５１、５２に案内され、螺旋形のカット溝により、高速に剪断される。また、２つずつ対応するカットローラーの上縁の位置にバッフル７１、７２がそれぞれ設置され、剪断時の粉塵を隔絶する。【選択図】図５
0003214430.tif 000002
【実用新案登録請求の範囲】
【請求項１】
上端に宝くじを進入させるように案内するための開口部を有し、駆動歯車を駆動させるためのモーターが内設され、且つ内部には一側にそれぞれ対応する箇所にセンサーがそれぞれ設置されるケースと、
前記ケースの外側に設置され、相互に噛合して駆動する複数の歯車で構成され、前記駆動歯車により下述の２組のガイドローラー及びカットローラーが駆動されて２つずつ対応し合って互いに向けて回転動作を行い、その内の前記２組のガイドローラーは同じ回転速度で駆動し、前記カットローラーはそれより早い回転速度で駆動する駆動歯車セットと、
上下にそれぞれ位置される第１組ガイドローラー及び第２組ガイドローラーを指し、２つずつ対応するように設置され、前記ケースの開口部の下方に設置され、上方に位置される前記第１組ガイドローラーにより前記宝くじが案内されて自動的に平坦に整理され、且つ前記センサーを通過させ、前記第２組ガイドローラーにより前記宝くじが下方の前記カットローラーに進入するように持続的に案内される２組のガイドローラーと、
２つずつ対応するように設置され、前記第２組ガイドローラーの下方に設置され、各前記カットローラーは複数のカット溝を有し、２つずつ対応し合って互いに向けて回転する前記カットローラーにより、前記宝くじが通過する際に複数の分離された断片に高速に剪断される１組のカットローラーと、を備え、
上述のように構成される宝くじ廃棄装置の改良は、前記宝くじが開口部から入れられて廃棄処理が行われ、前記センサーが感知することにより前記モーターが起動され、前記駆動歯車により前記２組のガイドローラー及び前記カットローラーが駆動され、前記宝くじが前記第１組ガイドローラー及び前記第２組ガイドローラーを順に通過させた後に前記カットローラーに巻き込まれ、前記カットローラーの複数の前記カット溝により複数の分離された断片に高速に剪断される
ことを特徴とする宝くじ廃棄装置の改良。
【請求項２】
前記カットローラーの上縁にはバッフルがそれぞれ設置され、各前記バッフルにより前記カットローラーがそれぞれ遮蔽されてケースの内部空間から隔離される
ことを特徴とする、請求項１に記載の宝くじ廃棄装置の改良。
【請求項３】
前記カットローラーに設けられる複数の前記カット溝は、螺旋形を呈して前記カットローラーに設けられる
ことを特徴とする、請求項１に記載の宝くじ廃棄装置の改良。
【請求項４】
前記カットローラーの前記カット溝は、溝壁の上端が鋭利な切断面を呈する
ことを特徴とする、請求項１に記載の宝くじ廃棄装置の改良。
【請求項５】
前記ケースは上部ケース及び下部ケースを備え、且つ前記上部ケース及び前記下部ケースの対応し合う端は対向して開閉するように枢結され、前記上部ケースが跳ね蓋式の組み合わせ構造を呈する
ことを特徴とする、請求項１に記載の宝くじ廃棄装置の改良。
【請求項６】
前記バッフルは、任意の一側または両側にラグがそれぞれ選択的に設置され、ケース内部の選定された位置にロックされるように結合される
ことを特徴とする、請求項２に記載の宝くじ廃棄装置の改良。
【請求項７】
前記バッフルは、上に向けて延伸されると共に第２組ガイドローラーの一部を通過させる孔部が開設される
ことを特徴とする、請求項２に記載の宝くじ廃棄装置の改良。
【考案の詳細な説明】
【技術分野】
【０００１】
本考案は、宝くじ廃棄装置に関し、より詳しくは、カットローラーを擬似はさみとして剪断動作を行い、宝くじを分離された断片に高速に剪断させ、廃棄作業を完成させる宝くじ廃棄装置の改良に関する。
【背景技術】
【０００２】
従来の宝くじ廃棄装置に関する特許文献では、例えば、特許文献１、特許文献２及び特許文献３に掲示されている実用新案がある。これらは、宝くじを切断して廃棄する技術が記載されているが、但しラチェットにより宝くじが３本の細長い縮れた紙切れに切断されるのみで、前後が連接された細長い宝くじを裁断して分離させることはできない。ゆえに、切断されて廃棄された後にも細長く縮れた形状を呈するため、体積が膨れ上がる。また、連なった宝くじが細長くなればなるほど、縮れて膨張する程度が大きくなり、宝くじの廃棄後に回収箱に自動的に捨てられるが、回収箱に収納できる廃棄する宝くじの量には限界があるため、不断で何度も回収箱を掃除しなければならない。よって、廃棄作業の困難さが増し、宝くじ廃棄作業の効率が大きく低下した。
【０００３】
このため、本案の出願者は宝くじ廃棄装置の先行案の設計を提供し、且つアメリカ特許（特許文献４参照）、台湾実用新案（特許文献５参照）、及び中国実用新案（特許文献６参照）をそれぞれ出願し、特許を取得している。前記先行案の技術では、ケースと、駆動歯車セットと、低回転速度の１組のガイドローラーと、中回転速度の１組のカットラチェットと、高回転速度の１組のプルローラーとを備える。駆動歯車セットによりガイドローラー、カットラチェット、及びプルローラーが起動され、宝くじが先ずガイドローラーを通過させて自動的に平坦に整理され、その後にカットラチェットにより宝くじが３本に切断され、最後にプルローラーにより宝くじが引きちぎられて断片が形成され、宝くじの廃棄という目的を達成させる。
【先行技術文献】
【特許文献】
【０００４】
【特許文献１】台湾実用新案第84208584号明細書
【特許文献２】台湾実用新案第85204451号明細書
【特許文献３】台湾実用新案第85203923号明細書
【特許文献４】アメリカ特許第14/080,784号明細書
【特許文献５】台湾実用新案第472268号明細書
【特許文献６】中国実用新案第203621078U号明細書
【考案の概要】
【考案が解決しようとする課題】
【０００５】
しかしながら、上述の先行案の設計では、下方のプルローラーが引張動作を行う場合、不断で重複して引張力を発生させねばならない。駆動歯車セットの歯車も瞬間的な引張の大きな負荷を不断で発生させるため、歯車がすぐに磨耗してしまい、歯車が損壊しやすく、改善が求められた。
【０００６】
上述の先行案では、主に中回転速度で駆動するカットラチェット及び高回転速度で駆動するプルローラーが組み合せられて使用され、宝くじの切断及び引きちぎりによる廃棄機能を達成させる。このため、カットラチェット及びプルローラーを同時に使用せねばならず、１組のカットラチェットまたはプルローラーのみで宝くじを断片にして廃棄することはできない。ゆえに、装置全体の結合が複雑になり、且つ前記カットラチェットの構造も複雑になり、長時間重複して宝くじの廃棄作業が行われると、各宝くじを確実に断片にして廃棄することができなくなり、歩留まりも予期した効果を達成できなかった。
【０００７】
また、先行案では宝くじが切断されて引きちぎられて断片になると同時に、微量の紙屑の粉塵を発生させる。宝くじが一定量廃棄されると、内部に塵が極度に溜まり、センサーが遮蔽されて自動感知計算機能に影響が及び、宝くじの廃棄量が正確に計算できなくなった。
【０００８】
そこで、本考案者は上記の欠点が改善可能と考え、鋭意検討を重ねた結果、合理的設計で上記の課題を効果的に改善する本考案の提案に到った。
【課題を解決するための手段】
【０００９】
かかる従来の実情に鑑みて、本考案は、宝くじ廃棄装置の改良を提供することを目的とする。ケースと、駆動歯車セットと、２組のガイドローラーと、１組のカットローラーとを備える。２組のガイドローラーは同じ回転速度で駆動され、第１組ガイドローラーにより宝くじが自動的に平坦に整理され、且つセンサーを通過させるとモーターが起動され、宝くじの数量が感知されて計算される。第２組ガイドローラーにより宝くじが下方のカットローラーに進入するように案内され、カットローラーのカット溝を擬似はさみとして剪断動作が行われ、宝くじがカット溝に持続的に進入して剪断され、宝くじが分離された断片に高速に剪断される。このため、いかなる引張力も要らず、駆動歯車セットの歯車の間に引張の負荷も生じず、歯車が極度に磨耗されることがなくなり、部材の運転がスムーズになり、耐用年数も延び、且つ装置全体の結合がより簡潔になる。
【００１０】
また、本考案の他の目的は、宝くじ廃棄装置の改良を提供する。前記カットローラーは複数のカット溝を有し、各カット溝は螺旋形を呈して設けられ、且つ各螺旋形のカット溝の溝壁の上端は鋭利な切断面を呈する。２つずつ対応し合って互いに向けて回転するカットローラーにより、宝くじが通過させる際に複数のはさみのような剪断動作が形成され、宝くじが斜めに切断されて複数の分離された断片に高速に剪断される。
【００１１】
なお、本考案のさらなる他の目的は、宝くじ廃棄装置の改良を提供する。前記カットローラーは２つずつ対応するローラーの上縁にバッフルがそれぞれ設置される。各バッフルによりカットローラーが遮蔽され、宝くじの剪断時に発生する紙屑の粉塵が隔絶される。カットローラー及びケースの内部空間が隔離され、ケースの内部空間に塵が積もらなくなるため、粉塵によりセンサーが遮蔽されて自動計算及び感知機能に影響が及ぶことがなく、宝くじの廃棄量の正確な計算機能を維持させる。
【００１２】
さらに、本考案の別の目的は、宝くじ廃棄装置の改良を提供する。前述のカットローラーの上縁に設置される２つのバッフルは上に向けて延伸され、且つ第２組ガイドローラーの一部を通過させる孔部を有する。バッフルが上に向けて延伸されることにより、カットローラー及びケースの内部空間がより好ましい隔離効果を有し、紙屑の粉塵がケースの内部空間に容易に進入しなくなり、紙屑の粉塵による干渉が効果的に防がれる。
【００１３】
最後に、本考案の別の目的は、宝くじ廃棄装置の改良を提供する。前述のカットローラーは擬似はさみとして剪断動作を行う。これにより、宝くじが複数の分離された断片に高速に剪断され、各断片が連接されずにばらばらになる。よって、宝くじの断片が容易に収集可能になり、断片が縮れて体積が膨れ上がることがなくなり、宝くじの断片の体積を縮減させる好ましい効果が達成され、回収箱または収集袋の掃除回数も減少する。
【図面の簡単な説明】
【００１４】
【図１】本考案の一実施形態に係る宝くじ廃棄装置を示す構成図である。
【図２】本考案がオープン形状を呈する斜視図である。
【図３】本考案の主な構成部材の組み合わせを示す概略図である。
【図４】本考案のカットローラーが分解状態を呈する斜視図である。
【図５】本考案の組み合わせを示す断面の概略図である。
【図６】本考案の第２組ガイドローラー及びカットローラー分解状態を呈する斜視図である。
【図７】本考案の駆動歯車セットの駆動組み合わせを示す概略図である。
【図８】本考案のバッフル、２組のガイドローラー及びカットローラーの配置組み合わせを示す概略図である。
【図９】本考案の宝くじを、２組のガイドローラー及びカットローラーを経過する時を示す概略図である。
【図１０】本考案の宝くじを、カットローラーを経過して断片に切断される動作を示す概略図である。
【考案を実施するための形態】
【００１５】
以下に図面を参照して、本考案を実施するための形態について、詳細に説明する。なお、本考案は、以下に説明する実施形態に限定されるものではない。
【００１６】
まず、図１〜６を参照しながら、本考案の宝くじ廃棄装置の改良をさらに詳しく説明する。本考案の宝くじ廃棄装置の改良は、主にケース１と、駆動歯車セット２と、２組のガイドローラー３１、３２、４１、４２と、１組のカットローラー５１、５２とを備える。特に、カットローラー５１、５２を擬似はさみとして剪断動作を行い、宝くじ６が分離された断片に高速に剪断されて廃棄作業を完成させる。以下、ケース１、駆動歯車セット２、２組のガイドローラー３１、３２、４１、４２、及び１組のカットローラー５１、５２について詳細に説明する。
【００１７】
ケース１は跳ね蓋式の組み合わせ構造として実施される。図１に示されるように、前記ケース１は上部ケース１１及び下部ケース１２を備え、且つケース１の対応し合う端には対向して開閉する枢構造造が形成され(図２参照)、上部ケース１１が簡単に開閉可能になる。上部ケース１１の上端には開口部１１１を有し、宝くじ６が案内されて進入する。下部ケース１２にはモーター１３が設置され、駆動歯車１３１が駆動される（図７参照）。また、上部ケース１１及び下部ケース１２の一側にそれぞれ対応する箇所にセンサー１４１、１４２がそれぞれ設置される。
【００１８】
駆動歯車セット２は、図７に示されるように、ケース１の上部ケース１１及び下部ケース１２の外側にそれぞれ対応するように設置され、相互に噛合して駆動する複数の歯車で構成される。前記駆動歯車１３１により前記２組のガイドローラー３１、３２、４１、４２及びカットローラー５１、５２が駆動されて２つずつ対応し合って互いに向けて回転動作を行う。その内の２組のガイドローラー３１、３２、４１、４２は同じ回転速度で駆動され、カットローラー５１、５２はそれより速い回転速度で駆動される。
【００１９】
２組のガイドローラー３１、３２、４１、４２とは上下にそれぞれ位置される第１組ガイドローラー３１、３２及び第２組ガイドローラー４１、４２を指し、２つずつ対応するように設置され、上部ケース１１の開口部１１１の下方に設置される。上方に位置される前述の第１組ガイドローラー３１、３２により宝くじ６が案内されて自動的に平坦に整理され、且つ宝くじ６がセンサー１４１、１４２を通過させるとモーターが起動され、宝くじの数量が感知されて計算され、宝くじ６の廃棄量が計算される。第２組ガイドローラー４１、４２により宝くじ６が下方のカットローラー５１、５２に進入するように持続的に案内される。
【００２０】
カットローラー５１、５２は２つずつ対応するように設置され、第２組ガイドローラー４１、４２の下方に設置される。図３及び図４に示されるように、各カットローラー５１、５２は共に複数のカット溝５１１、５２１を有し、各カット溝５１１、５２１は螺旋形を呈して設けられる。また、各カット溝５１１、５２１の溝壁の上端は共に鋭利な切断面５１２、５２２を呈し、２つずつ対応し合って互いに向けて回転するカットローラー５１、５２により宝くじ６が通過させる際に複数のはさみのような剪断動作が形成され、宝くじ６が斜めに切断されて分離された複数の断片６１に高速に剪断される(図９及び図１０参照)。
【００２１】
上述のように構成される宝くじ廃棄装置の改良は、上部ケース１１及び下部ケース１２が閉じられると、宝くじ６が開口部１１１から入れられて廃棄処理が行われる。センサー１４１、１４２により感知されてモーター１３が起動され、駆動歯車１３１により２組のガイドローラー３１、３２、４１、４２及びカットローラー５１、５２が駆動され、それぞれ低速及び高速の異なる回転速度で宝くじ６が第１組ガイドローラー３１、３２(宝くじ６が自動的に平坦に整理される)、第２組ガイドローラー４１、４２(宝くじ６が持続的に案内される)を順に通過させ、カットローラー５１、５２に巻き込まれ、カットローラー５１、５２の複数のカット溝５１１、５２１により複数の斜めに切断された分離された断片６１に高速に剪断される。前述のカットローラー５１、５２は擬似はさみとして剪断動作を行い、これにより宝くじ６が複数の分離された断片６１に高速に剪断される。各断片６１がばらばらに剪断されるため、宝くじ６の断片は容易に収集でき、宝くじ６の断片の体積が効果的に減少し、回収箱または収集袋の掃除回数も減る。
【００２２】
本考案の先行案との主な差異は、本考案の改良では、２組のガイドローラー３１、３２、４１、４２及び１組のカットローラー５１、５２により、第１組ガイドローラー３１、３２及び第２組ガイドローラー４１、４２を通過させる宝くじ６がカットローラー５１、５２に進入するように案内された後、カットローラー５１、５２のカット溝５１１、５２１により宝くじ６が分離された断片に高速に剪断される。このため、いかなる引張力も不要であり、駆動歯車セット２の各歯車の間にいかなる引張作用力も発生せず、駆動歯車セット２の各歯車が巨大な負荷を受けて磨耗することもない。各部材の運転がよりスムーズになり、且つ部材の耐用年数も延び、装置全体の結合がより簡潔になる。
【００２３】
上述のカットローラー５１、５２に設けられる複数のカット溝５１１、５２１は、出願者による試験の結果、各カット溝５１１、５２１が螺旋形を呈して設けられることによる剪断効果が好ましく、宝くじ６が螺旋形のカット溝５１１、５２１に沿って通過すると、複数の斜めに切断された分離された断片６１に剪断される(図９参照)。同様に、前記カット溝５１１、５２１は非螺旋で設けられる形態で実施されてもよく、宝くじ６がカットローラー５１、５２を通過させる際に分離された複数の断片６１に剪断されるものであればよい。
【００２４】
図６に示されるように、本考案は更に前記カットローラー５１、５２の上縁にバッフル７１、７２がそれぞれ設置される。各バッフル７１、７２によりカットローラー５１、５２が遮蔽され、宝くじ６が剪断される際に発生する紙屑の粉塵が隔絶され、カットローラー５１、５２及びケース１の内部空間が隔離される。内部空間に塵が積もらず、粉塵によりセンサー１４１、１４２が遮蔽されて計算感知機能に影響が出ることがなくなる。
【００２５】
上述のバッフル７１、７２は任意の一側または両側にラグ７１１、７２１がそれぞれ選択的に設置され、ケース１の内部の選定された位置にロックされるように結合される。
【００２６】
上述のバッフル７１、７２は上に向けて延伸され、第２組ガイドローラー４１、４２の一部を通過させる孔部７１２、７２２が開設される(図８参照)。バッフル７１、７２が上に向けて延伸されることにより、カットローラー５１、５２及びケース１の内部空間により好ましい隔離効果が生じ、紙屑の粉塵がケースの内部空間に容易に進入しなくなり、紙屑の粉塵によりセンサー１４１、１４２が遮蔽されて干渉される事態がより有効的に回避される。
【００２７】
実施形態は本考案の主要な技術的特徴を例示して説明するものにすぎず、本案の技術範囲を限定させるものではなく、同等の効果を有する応用または本案の技術に基づいた簡単な変化や置換も、全て本案の技術範囲に含まれる。例えば、ケース１は従来の非跳ね蓋式で閉じられる組み合わせ構造を改変させて、本考案の跳ね蓋式で開閉する枢結構造により代替させ、或いは駆動歯車セット２や同等の効果を有する他の駆動装置を利用してもよく、第１組ガイドローラー３１、３２、第２組ガイドローラー４１、４２、及びカットローラー５１、５２が必要な回転速度をそれぞれ獲得させる同等の効果を有する簡単な変化も、本案の技術範囲に含まれる。
【００２８】
上述のように、本考案に係る宝くじ廃棄装置の改良は、従来の考案または出願者の先行案の考案に対して、カットローラー５１、５２が結合されるように改良される。より省力で高速に宝くじが分離された断片に剪断され、いかなる引張力も発生させない。また、バッフル７１、７２によりカットローラー５１、５２が隔離されるため、粉塵がケース１の内部空間に溜まらなくなり、センサー１４１、１４２が遮蔽されず、感知機能にも影響が出ない。よって、本案の技術手段は従来の技術とは異なる。
【００２９】
以上、本考案の実施形態について図面を参照して詳述したが、具体的な構成はこの実施形態に限られるものではなく、本考案の要旨を逸脱しない範囲の設計変更等も含まれる。
【符号の説明】
【００３０】
１      ケース
２      駆動歯車セット
３１    第１組ガイドローラー
３２    第１組ガイドローラー
４１    第２組ガイドローラー
４２    第２組ガイドローラー
５１    カットローラー
５２    カットローラー
６      宝くじ
１１    上部ケース
１２    下部ケース
１１１  開口部
１３    モーター
１３１  駆動歯車
１４１  センサー
１４２  センサー
５１１  カット溝
５１２  切断面
５２１  カット溝
５２２  切断面
６１    断片
７１    バッフル
７１１  ラグ
７１２  孔部
７２    バッフル
７２１  ラグ
７２２  孔部
【図１】
0003214430.tif 000003
【図２】
0003214430.tif 000004
【図３】
0003214430.tif 000005
【図４】
0003214430.tif 000006
【図５】
0003214430.tif 000007
【図６】
0003214430.tif 000008
【図７】
0003214430.tif 000009
【図８】
0003214430.tif 000010
【図９】
0003214430.tif 000011
【図１０】
0003214430.tif 000012
【手続補正書】
【提出日】平成29年11月13日(2017.11.13)
【手続補正１】
【補正対象書類名】実用新案登録請求の範囲
【補正対象項目名】全文
【補正方法】変更
【補正の内容】
【実用新案登録請求の範囲】
【請求項１】
上端に宝くじを進入させるように案内するための開口部を有し、駆動歯車を駆動させるためのモーターが内設され、且つ内部には一側にそれぞれ対応する箇所にセンサーがそれぞれ設置されるケースと、
前記ケースの外側に設置され、相互に噛合して駆動する複数の歯車で構成され、前記駆動歯車により下述の２組のガイドローラー及びカットローラーが駆動されて２つずつ対応し合って互いに向けて回転動作を行い、その内の前記２組のガイドローラーは同じ回転速度で駆動し、前記カットローラーはそれより早い回転速度で駆動する駆動歯車セットと、
上下にそれぞれ位置される第１組ガイドローラー及び第２組ガイドローラーを指し、２つずつ対応するように設置され、前記ケースの開口部の下方に設置され、上方に位置される前記第１組ガイドローラーにより前記宝くじが案内されて自動的に平坦に整理され、且つ前記センサーを通過させ、前記第２組ガイドローラーにより前記宝くじが下方の前記カットローラーに進入するように持続的に案内される２組のガイドローラーと、
２つずつ対応するように設置され、前記第２組ガイドローラーの下方に設置され、各前記カットローラーは複数のカット溝を有し、２つずつ対応し合って互いに向けて回転する前記カットローラーにより、前記宝くじが通過する際に複数の分離された断片に高速に剪断される１組のカットローラーと、を備える宝くじ廃棄装置において、
前記宝くじが開口部から入れられて廃棄処理が行われ、前記センサーが感知することにより前記モーターが起動され、前記駆動歯車により前記２組のガイドローラー及び前記カットローラーが駆動され、前記宝くじが前記第１組ガイドローラー及び前記第２組ガイドローラーを順に通過させた後に前記カットローラーに巻き込まれ、前記カットローラーの複数の前記カット溝により複数の分離された断片に高速に剪断される
ことを特徴とする宝くじ廃棄装置。
【請求項２】
請求項１に記載の宝くじ廃棄装置において、
前記カットローラーの上縁にはバッフルがそれぞれ設置され、各前記バッフルにより前記カットローラーがそれぞれ遮蔽されてケースの内部空間から隔離される
ことを特徴とする宝くじ廃棄装置。
【請求項３】
請求項１に記載の宝くじ廃棄装置において、
前記カットローラーに設けられる複数の前記カット溝は、螺旋形を呈して前記カットローラーに設けられる
ことを特徴とする宝くじ廃棄装置。
【請求項４】
請求項１に記載の宝くじ廃棄装置において、
前記カットローラーの前記カット溝は、溝壁の上端が鋭利な切断面を呈する
ことを特徴とする宝くじ廃棄装置。
【請求項５】
請求項１に記載の宝くじ廃棄装置において、
前記ケースは上部ケース及び下部ケースを備え、且つ前記上部ケース及び前記下部ケースの対応し合う端は対向して開閉するように枢結され、前記上部ケースが跳ね蓋式の組み合わせ構造を呈する
ことを特徴とする宝くじ廃棄装置。
【請求項６】
請求項２に記載の宝くじ廃棄装置において、
前記バッフルは、任意の一側または両側にラグがそれぞれ選択的に設置され、ケース内部の選定された位置にロックされるように結合される
ことを特徴とする宝くじ廃棄装置。
【請求項７】
請求項２に記載の宝くじ廃棄装置において、
前記バッフルは、上に向けて延伸されると共に第２組ガイドローラーの一部を通過させる孔部が開設される
ことを特徴とする宝くじ廃棄装置。